(57)【要約】【課題】  型板ガラスにアラームを確実・強固に取付けることができるアラームの取付方法を提供する。【解決手段】  微小凹凸Ａを有する型板ガラスＧの凹凸面Ｇ1 に対して、フィルム層３の裏面３ａに粘着層２が積層されたシート体４を、貼着する。その後、シート体４のフィルム層３の表て面５に、アラーム１を、両面粘着シート７を介して押付ける。【選択図】  図３
2005336832.tif 000002
【特許請求の範囲】
【請求項１】
微小凹凸（Ａ）を有する型板ガラス（Ｇ）の凹凸面（Ｇ1 ）に対して、フィルム層（３）の裏面（３ａ）に粘着層（２）が積層されたシート体（４）を、貼着し、その後、該シート体（４）の上記フィルム層（３）の表て面（５）に、アラーム（１）を、両面粘着シート（７）を介して押付けることを特徴とするアラームの取付方法。
【請求項２】
シート体（４）の厚さを（Ｔ1 ）、両面粘着シート（７）の厚さを（Ｔ2 ）、アラーム（１）の厚さを（Ｔ3 ）としたとき、７mm≦（Ｔ1 ＋Ｔ2 ＋Ｔ3 ）≦10mmに設定した請求項１記載のアラームの取付方法。
【請求項３】
シート体（４）全体を透明とした請求項１又は２記載のアラームの取付方法。
【発明の詳細な説明】
【技術分野】
【０００１】
本発明は、アラームの取付方法に関する。
【背景技術】
【０００２】
一般に、住宅の窓からの不法侵入者（いわゆる空き巣やどろぼう）の侵入を防止するために、侵入を目的としてガラスを割ったり切断する際の窓ガラスの振動を検知して、警報音を発する警報器（アラーム）を、接着にて窓ガラスに貼着する（例えば、特許文献１参照）。
【０００３】
しかし、アラームに両面粘着テープを貼着したものを、微小凹凸を有する型板ガラスに接着にて貼着しようとすると、実際の接触面積が小さくなるので、粘着力が弱くなり、アラームが落下しやすいという欠点があった。
【特許文献１】特開平８−１６７０８２号公報
【発明の開示】
【発明が解決しようとする課題】
【０００４】
解決しようとする課題は、微小凹凸を有する型板ガラスにアラームを接着したときに、アラームが落下しやすい点である。
【課題を解決するための手段】
【０００５】
そこで、本発明に係るアラームの取付方法は、微小凹凸を有する型板ガラスの凹凸面に対して、フィルム層の裏面に粘着層が積層されたシート体を、貼着し、その後、該シート体の上記フィルム層の表て面に、アラームを、両面粘着シートを介して押付ける方法である。また、シート体の厚さをＴ1 、両面粘着シートの厚さをＴ2 、アラームの厚さをＴ3 としたとき、７mm≦（Ｔ1 ＋Ｔ2 ＋Ｔ3 ）≦10mmに設定した方法である。また、シート体全体を透明とした方法である。
【発明の効果】
【０００６】
本発明のアラームの取付方法によれば、型板ガラスに対して、アラームを確実・強固に取付けることができる。また、引違いガラス障子（戸）の外側の型板ガラスに取付けることができる。また、屋外に居る不法侵入者に、警告ランプや警告用の文字等を見せることができる。
【発明を実施するための最良の形態】
【０００７】
図１・図２は、本発明のアラームの取付方法によって、微小凹凸Ａを有する型板ガラスＧ───例えば、片面に型模様をつけた板ガラスや、すり板ガラス等をいう───に、アラーム１を取付けた状態を示す。このように、施錠部Ｋ近傍にアラーム１を取付けると、不法侵入者（図示省略）が施錠部Ｋ近傍に孔（図示省略）を開けようとした場合に、確実に警報音（例えば、警報ブザー）を鳴らすことができるので、好ましい。
【０００８】
アラーム１の取付方法は、具体的には、図３・図４に示すように、微小凹凸Ａを有する型板ガラスＧの凹凸面Ｇ1 に対して、まず、粘着層２とフィルム層３を積層させたシート体４を貼着する。フィルム層３は、ポリエチレン又はポリプロピレンから成る。このとき、粘着層２が、型板ガラスＧの微小凹凸Ａに応じて変形し、フィルム層３の表て面５は、ほぼ凹凸のないスムースな面となる。
その後、シート体４のフィルム層３の表て面５に、アラーム１を、両面粘着シート７を介して押付ける。
【０００９】
シート体４の厚さをＴ1 、両面粘着シート７の厚さをＴ2 、アラーム１の厚さをＴ3 としたとき、７mm≦（Ｔ1 ＋Ｔ2 ＋Ｔ3 ）≦10mmに設定する。（Ｔ1 ＋Ｔ2 ＋Ｔ3 ）＞10mmの場合、アラーム１を引違いガラス障子（戸）Ｗ（図１・図２参照）の外側の型板ガラスＧに取付けたときに、アラーム１が内側の型板ガラスＧの周囲枠Ｗ1 に干渉して、引違いガラス障子（戸）Ｗを開閉することができなくなる虞れがある。逆に、（Ｔ1 ＋Ｔ2 ＋Ｔ3 ）＜７mmの場合、アラーム１の製造が至難となる。
シート体４全体を透明とする。
【００１０】
なお、本発明は、設計変更可能であって、例えば、シート体４が不透明であって、貼着面に警告用の絵や文字───例えば、「警戒中」という文字───を有するも良い。この場合、アラーム１を型板ガラスＧに取付けた状態で、その警告用の絵や文字を屋外に居る不法侵入者に見せることができる。
【００１１】
以上のように、本発明は、微小凹凸Ａを有する型板ガラスＧの凹凸面Ｇ1 に対して、フィルム層３の裏面３ａに粘着層２が積層されたシート体４を、貼着し、その後、シート体４のフィルム層３の表て面５に、アラーム１を、両面粘着シート７を介して押付けるので、粘着力が強くなり（すなわち、各部材の接触面積が広くなり）、アラーム１を確実・強固に型板ガラスＧに取付けることができる。また、粘着力が強くなるので、不意に脱落することがなくなる。
また、シート体４の厚さをＴ1 、両面粘着シート７の厚さをＴ2 、アラーム１の厚さをＴ3 としたとき、７mm≦（Ｔ1 ＋Ｔ2 ＋Ｔ3 ）≦10mmに設定したので、アラーム１を引違いガラス障子（戸）Ｗの外側の型板ガラスＧに取付けることができる。すなわち、アラーム１を外側の型板ガラスＧに取付けたときにも、干渉することなく、引違いガラス障子（戸）Ｗを開閉することができる。なお、７mm未満とするとアラーム１の製作が困難となるが、７mm以上ならば、製作が可能である。
また、シート体４全体を透明としたので、アラーム１が裏面７ａ側に警告ランプを有する（かつ両面粘着シート７が透明として、又は、両面粘着シート７に小孔を貫設して警告ランプの光が通過可能とした）場合、屋外に居る不法侵入者に警告ランプの光を見せて、屋内への侵入を思いとどまらせるように促すことができる。また、両面粘着シート７が裏面７ａ側に警告用の絵や文字───例えば、「警戒中」という文字───を有するときに、アラーム１を型板ガラスＧに取付けた状態で、その警告用の絵や文字を屋外に居る不法侵入者に見せて、屋内への侵入を思いとどまらせるように促すことができる。
【図面の簡単な説明】
【００１２】
【図１】本発明のアラームの取付方法によってアラームを型板ガラスに取付けた状態を示す斜視図である。
【図２】説明用断面平面図である。
【図３】アラームの取付方法を示す要部拡大断面側面図である。
【図４】アラームを取付けた型板ガラスに取付けた状態を示す要部拡大断面側面図である。
【符号の説明】
【００１３】
１  アラーム
２  粘着層
３  フィルム層
３ａ  裏面
４  シート体
５  表て面
７  両面粘着シート
Ａ  微小凹凸
Ｇ  型板ガラス
Ｇ1   凹凸面
Ｔ1   厚さ
Ｔ2   厚さ
Ｔ3   厚さ
【図１】
2005336832.tif 000003
【図２】
2005336832.tif 000004
【図３】
2005336832.tif 000005
【図４】
2005336832.tif 000006